【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
磁気共鳴画像法（ＭＲＩ）システムにおいて、選択的に励起された１つまたは複数の内部体積（プリズムボリューム）の軸に沿った周波数エンコードされた１次元信号の複数の繰返しである、細かくサンプリングされ空間エンコードされた磁気共鳴エコーデータからなるプリズム取得から生成される空間周波数スペクトルの質を向上させる方法であって、前記選択的に励起された１つまたは複数の内部体積（プリズムボリューム）が、前記エコーデータが生成される、解析対象の生物学的組織中の物理的な位置であり、
ａ）複数のプリズムボリュームからのエコーデータの１つまたは複数の個々の繰返しからなるプリズム取得を、前記磁気共鳴画像法（ＭＲＩ）システム内の１つまたは複数の受信コイルを使用して集めること、
ｂ）前記プリズム取得の質に影響を及ぼす患者の動きを、
ｉ）前記（ａ）で集めた前記エコーデータをプリズムボリュームごとに変換して、プリズムプロファイルと呼ばれる、位置に対する信号の変動を、受信コイルごとの繰返しごとに算出し、
ｉｉ）前記受信コイルから選択された１つまたは複数の受信コイルからの前記プリズムプロファイルを合成して、合成されたプリズムプロファイルを、プリズムボリュームごとおよび繰返しごとに生成し、
ｉｉｉ）集めた前記繰返しを、重複する１つもしくは複数の繰返しのブロックまたは隣接する１つもしくは複数の繰返しのブロックに合成して、一組のプリズムボリュームについての前記プリズムプロファイルを示す一連のフレームをブロックごとに生成し、フレーム間の前記プリズムプロファイルの変化を使用して、前記プリズム取得中に起こった前記患者の動きを算出し、
ｉｖ）前記（ｉｉｉ）での患者の動きの前記算出を使用して、算出された前記動きがしきい値よりも小さいかどうかを判定し、小さい場合には、前記プリズムプロファイルから前記空間周波数スペクトルを算出し、小さくない場合には、データセットを破棄し、再取得するように指示すること
によって評価すること
を含む方法。
【請求項２】
前記（ｂ）（ｉｉｉ）での動きの推定値を使用して、前記プリズム取得中に起こった前記動きを、空間周波数スペクトルを生成する前に前記（ｂ）（ｉｖ）でプリズムプロファイルの前記繰返しを互いに対して空間的にシフトさせることにより補正する、請求項１に記載の方法。
【請求項３】
前記（ｂ）（ｉｉｉ）での前記動きの評価が、前記プリズムプロファイルのプロットをブロックごとに生成し、前記プロットを、一連のフレームまたはアニメーションとして表示することによって実行され、前記一連のフレームまたはアニメーションから、ユーザは、前記プリズム取得中の前記動きを可視化し評価することができる、請求項１に記載の方法。
【請求項４】
前記（ｂ）（ｉｉｉ）での前記動きの評価が、１つのプリズムボリュームに対する前記プリズムプロファイルのプロットをブロックごとに生成し、互いに隣接するこれらのフレームのそれぞれを表示して、前記プリズム取得中の前記動きを可視化することを可能にする１つの表現を形成することによって、前記１つのプリズムボリュームに対して実行される、請求項１に記載の方法。
【請求項５】
前記（ｂ）（ｉｉ）において、前記受信コイルが、
ｄ）前記（ａ）の前記プリズム取得について使用した前記受信コイルに対応する一組の受信コイル上で雑音データを測定し、
ｅ）前記（ａ）で取得したプリズム取得エコーデータと前記（ｄ）で取得した前記雑音データの比を使用して、信号対雑音比（ＳＮＲ）を前記受信コイルごとに推定し、前記比を使用して、最終的なＳＮＲを最大にするために、受信コイルからの前記プリズム取得エコーデータを、ダイバーシチ合成を使用して合成し、
ｆ）前記（ｂ）（ｉｉ）のそれぞれの受信コイルについての信号対雑音比の前記算出を使用して、前記プリズム取得が、しきい値よりも大きいＳＮＲを有するかどうかを判定し、有しない場合には、前記データセットを破棄し、再取得するように指示すること
によって合成される、請求項１に記載の方法。
【請求項６】
前記（ｄ）での雑音データの前記測定が、前記受信コイルのそれぞれについてのＲＦアンプを無効にして、雑音データだけが集められるようにすることによって実行される、請求項５に記載の方法。
【請求項７】
前記（ｄ）での雑音データの前記測定が、ＲＦ伝送電圧をゼロに設定して、雑音データだけが集められるようにすることによって実行される、請求項５に記載の方法。
【請求項８】
前記（ｄ）での雑音データの前記測定が、前記（ａ）での前記プリズム取得の前に実行される、請求項５に記載の方法。
【請求項９】
前記（ｄ）での雑音データの前記測定が、前記（ａ）での前記プリズム取得の後に実行される、請求項５に記載の方法。
【請求項１０】
前記（ｄ）での雑音データの前記測定が、前記（ａ）での前記プリズム取得の前記繰返しの間の１つまたは複数の時点で実行される、請求項５に記載の方法。
【請求項１１】
前記（ｅ）において、最終的なＳＮＲを最大にするために、受信コイルが、最大比合成を使用することによって合成される、請求項５に記載の方法。
【請求項１２】
前記（ｅ）において、最終的なＳＮＲを最大にするために、受信コイルが、選択合成を使用することによって合成される、請求項５に記載の方法。
【請求項１３】
前記（ｂ）（ｉｉｉ）での前記動きの評価が、
ｄ）前記フレームの雑音を低減させるために、空間フィルタを使用して前記フレームを平滑化し、
ｅ）その組織において典型的な動きの局所的変動に合わせてサイズが選択された、前記フレームのサブ領域を選び、
ｆ）前記サブ領域をウインドウに入れ、
ｇ）２つのフレームからなる対ごとに、前記サブ領域の２次元相互相関を算定し、
ｈ）前記フレームの対の前記サブ領域についてのｘ位置およびｙ位置における局所的シフトを与える、算定された前記相互相関の最大値の位置を決定し、
ｉ）前記サブ領域を、前記フレームを横切って、および前記フレームの下方へ移動させながら、前記（ｇ）および前記（ｈ）のステップを繰り返して、シフトマップと呼ばれる、そのフレームの対についての位置に対する前記局所的シフトのマップを構築し、
ｊ）前記（ｅ）から前記（ｉ）までのステップをフレームの対ごとに繰り返して、局所的に推定されたシフトの一連のシフトマップを生成すること
によって実行される、請求項１に記載の方法。
【請求項１４】
位置空間での相互相関関数のサンプリングレートを、原データのサンプリングレートから変動させて、１画素未満のシフトを算出することができるように、前記２次元相互相関の前記算出が、位置空間ではなく、周波数空間で実行される、請求項１３に記載の方法。
【請求項１５】
局所的に推定された前記シフトをしきい値と比較し、前記フレームのうちの任意のフレームからの前記局所的シフトが前記しきい値よりも大きい場合には、前記データセットが、顕著な動きを有することが示され、その結果、患者がまだＭＲＩスキャナの中にいる間に、ユーザによって前記データセットを再取得することができる、請求項１３に記載の方法。
【請求項１６】
局所的な動きをユーザが可視化し評価することができるように、局所的に推定された前記シフトが、アニメーションまたは一連のプロットとしてユーザに表示される、請求項１３に記載の方法。
【請求項１７】
それぞれのフレームについての局所的に推定された前記シフトが、前記サブ領域の中央にプロットされた、前記局所的シフトの方向を示す色相／色および前記シフトの大きさを示す値／輝度を有する点として表示される、請求項１６に記載の方法。